(57)【要約】      （修正有）【課題】人とペットとの衛生面的配慮をしつつも、ただ単にペットの衛生を保つ為の洗浄やより美しく整えるトリミングの為の作業装置ではなく、これらの行為そのものが人とペットとの交感であり、本来の姿であるとの視点に基づいた専用のグルーミング装置を提供する。【解決手段】洗浄時の使用性を考慮した適当な深さを有し、使用時に必要な高さで水平に保持され、未使用時には垂直方向にフラットでコンパクトに収納されるという回動収納機構を有する洗浄シンク１と洗浄シンク１の上に水平に装備されペットと交感しながらブラッシングやトリミングが行えるグルーミング台２とそれを支える躯体及びペットの洗浄、乾燥、トリミング等に必要な器具や用品の収納機能を主たる構成体に、洗浄シンク部あるいは排水部に設けられ、抜け毛などを集める集塵ケースや排水金具、フレキシブル配水管１８とが備えられたことを特徴とする。【選択図】図２
2006101852.tif 000002
【特許請求の範囲】
【請求項１】
洗浄使用時には、給排水設備がある場所（浴室やベランダ、ガレージ等々）で、乾燥・ブラッシングや爪切りなど癒しとして飼い主を含めたケアを行う時には、リビングなどに移動して使用出来る。未使用時には少スペースに保管出来るコンパクトな形状、機能を有し必要に応じ簡単に移動、設置使用できることを特徴とする薄型ペット専用グルーミング装置。
【請求項２】
グルーミング台を付帯した洗浄シンクは使用時、躯体部と水平な状態で前方に突出するが、使用しない時は躯体部と同一面（薄型）となり収納されることを特徴とする構造。
【請求項３】
ペットの洗浄シンクに付帯したグルーミング台は洗浄シンク使用時洗浄シンクと直交する壁として洗浄水の飛びはねを防止し、洗浄後は洗浄シンクの上にかぶせフラットな作業台として乾燥やカット，ブラッシング使用出来る構造。
【請求項４】
洗う、乾燥、カット、ブラッシングという一連の作業に必要な器具や用品が、収納ケースに収納される構造。
【請求項５】
シャワ−ヘッドやドライヤーを固定し両手を使って作業できる装置とシャワ−ヘッドやドライヤーが一時的に置ける収納式のシャワ−ヘッド、ドライヤー置き台が設置される構造。
【請求項６】
洗浄シンクの抜け毛等の混じった排水は、集塵ケースで集められ簡単に処理でき、集塵ケースで濾過された洗浄排水がフレキシブル配水管を通じて排出される構造。
【請求項７】
洗浄シンクユニット、躯体部、収納部の各々は、部位ごとに完成され、各ユニットが容易に連結できるユニットシステムで、梱包運送設置が効率的且つ簡単に行える構造であると共に洗浄シンクユニットを他の構成体と合体させ用途に応じたペット専用のグルーミング装置として新たな構成物となる構造。
【発明の詳細な説明】
【技術分野】
【０００１】本発明は，家族の一員であるペットとのふれあい・交感を、ペットの衛生，美容，健康管理を通して、やさしく、人も楽な姿勢で行える環境を提供するペット専用のグルーミング装置に関するものである。
【背景技術】
【０００２】ペットの洗浄装置として、浴室の洗い場にペット専用の洗い場を併設した特開平１１−１８２０７４号公報や、ペットの洗浄乾燥装置特開平１１−１８７７８２号公報、ペット洗浄装置特開２００１−３４６４７１が知られている。【０００３】従来の技術、浴室の洗い場にペット専用の洗い場を併設した特開平１１−１８２０７４号は、新築時にのみ可能で既築には向かない。【０００４】従来の技術、ペットの洗浄乾燥装置装置特開平１１−１８７７８２号では、ペット専用の浴室を家屋内に設置するもので、大掛かりな工事を必要とし、スペースに限りのあるマンションなどでは設置しにくく、限定される。【０００５】従来の技術、ペット洗浄装置特開２００１−３４６４７１では、ペット洗浄装置の占有面積を狭くするとともに、楽な姿勢でペット洗いが行え、且つ大掛かりな工事を不要にする。配管部に給水装置と接続する仕様の為、カプラ−接続構造にすれば簡単取り外しが行え、納屋や納戸に収納でき好ましい。とされるが、配管接続部を有する設置可能な場所はかなり限定されるし、新たに設ける必要も生じるので常設の固定設置が一般的になると予想される。
【発明の開示】
【発明が解決しようとする課題】
【０００６】本発明は、従来の技術の不都合を解消し、既設の給排水環境を最大限生かせる設置構造で、移動可能なものとし、単に洗浄乾燥するだけではなく、犬のようなペットを洗浄、乾燥，トリミング，ブラッシングという一連の作業環境でペットの衛生、美容、健康管理の世話を楽な姿勢で手軽に行えると共に、ただ単にペットの衛生を保つ為の洗浄やより美しく整えるトリミングの為の作業装置ではなく、これらの行為そのものが人とペットとの交感であり、本来の姿であるとの視点に基づくペット専用のグルーミング装置構造の提供を課題とするものである。
【課題を解決する為の手段】
【０００７】この課題を解決する為に本発明のペット専用グルーミング装置は、垂直方向の躯体部と未使用時には垂直方向に折りたたまれた状態で、洗浄使用時には躯体部と直交し水平状態に保たれ、回動連結された洗浄シンクユニット部と、洗浄シンク部あるいは排水口近くに設けられ、排出される抜け毛等を集める集塵ケース、濾過された洗浄水を排水するフレキシブル配水管より構成され、  乾燥、トリミング使用時は、洗浄シンク部上に水平に架設され、洗浄使用時には、洗浄シンク部と直交し水の飛び跳ね防止壁ともなるグルーミング台と、ペットの洗浄、乾燥、トリミング等に必要な器具や用品の収納及び保持機能とを備えたことを特徴としている。
【０００８】使用しない時にはグルーミング台が取り付けられた洗浄シンクを垂直方向に折りたたみ、水平に収納する。使用時には洗浄シンクを手前に引き上げ、あるいは下方に引き下げて、水平位置に回動固定させる。作業しやすい高さの洗浄シンク上にペットを乗せ楽な姿勢でペットを洗うことが出来ると共にグルーミング台を洗浄シンク上に重ね乗せることでフラットな作業台交感の場として乾燥やトリミング、ブラッシング等がし易い。
【０００９】洗浄、乾燥，トリミングという一連の作業に必要な器具や用品は、手許近くの収納ケースあるいは棚に収納できることが好ましい。
【００１０】洗浄シンクの洗浄水排水は、集塵ケース付き排水金具ユニットあるいは単独の集塵ケースで抜け毛等を集めるので処理が簡単で、濾過された洗浄排水はフレキシブル配水管を通じてどのような配水管（構）にも排水出来る。
【００１１】シャワ−ヘッドやドライヤーを固定し両手を使って作業できる装置とシャワ−ヘッドやドライヤーが一時的に置ける収納式シャワ−ヘッド、ドライヤー置き台が使いやすい位置に設置されることが好ましい。
【００１２】洗浄シンクユニット、躯体部、収納部の各々は、位ごとに完成され、各ユニットが容易に連結できるユニットシステムであることから、梱包、運送、設置が効率的且つ簡単に行なえると共に、作業台となるンクユニットを用途に応じて再構成しペット専用グルーミング装置形態にすることが可能となるのを特長にしている。
【発明の効果】
【００１３】本発明の請求項１記載の発明にあっては、給排水設備について、既設のもの、シャワーは浴室やシャワー室、キッチン、洗面所等の人間用を使用したり、屋外作業用に設置されたものを使用する。排水は本装置の主たる構成物である洗浄シンクに接続されたフレキシブル配水管を介して浴室やシャワー室、キッチン、洗面所等の排水溝や屋外排水構を使用するということで、新たな工事を一切必要とせず、簡単に小スペースに設置でき、本装置の目的であるペットの衛生、美容、健康管理を手軽に行え、世話をする人が楽な姿勢で作業できる環境の提供が可能となった。
【００１４】また，請求項２記載の発明にあっては、上記請求項１記載の発明の効果、簡単に小スペースで設置できることの実現の為、使用時には、シンク部を側板部から垂直に回動して水平に保ち、一連の作業が快適に出来、未使用時には、シンク部が躯体部と同一面の収まるので、作業に必要なスペースを確保しながらも極めてコンパクトな形状で構成され、設置条件の幅を広げることが可能となった。
【００１５】また、請求項３記載の発明にあっては、本装置の目的であるペットの衛生、美容、健康管理が手軽に行えると共に世話をする人が楽な姿勢で作業できるのに必要な装置としてペットの洗浄シンクの上にグルーミング台を取り付け、洗浄シンク使用時は洗浄シンクと直交した壁とし、洗浄水の飛びはねを防止し、洗浄後は洗浄シンクの上にかぶせるとフラットな作業台となり、乾燥やトリミング，ブラッシングがし易い。更に，グルーミング台の左右にグルーミング台内に収まる形状で作業に邪魔にならない範囲の側板を設けたことにより側面への洗浄水の飛び散り防止が可能となった。
【００１６】また、請求項４記載の発明にあっては、洗浄，乾燥，トリミング，ブラッシングという一連の作業に必要な器具や用品が、収納ケースに収納されることで、整理整頓、作業効率の向上等、作業者に快適な作業環境を提供することが可能となった。
【００１７】また、請求項５記載の発明にあっては、シャワ−ヘッドやドライヤーを固定し両手を使って作業できる装置とシャワ−ヘッドやドライヤーが一時的に置ける収納式のシャワ−ヘッド、ドライヤー置き台が設置されることで、作業者に快適な作業環境を提供することが可能となった。
【００１８】また、請求項６記載の発明にあっては、洗浄シンクでペットの洗浄をすると排水に抜け毛が混じるが、排水金具ユニットの集塵ケースあるいは単独の集塵ケースで排出される抜け毛等を集め簡単に取り出すことが出来、洗浄排水は濾過されフレキシブル配水管を通じて排出されるので安心して既設の排水管（溝）に排出できることが可能となった。
【００１９】また、請求項７記載の発明にあっては、洗浄シンクユニット、躯体部、収納部各々が部位ごとに完成され、各ユニットが容易に連結できるユニットシステムであることから、単体の形態において、分割梱包が可能となり、運送才数を減らすことが出来ると共に組み立ても簡単に出来ることが可能となった。
【００２０】また、請求項７記載の発明に付随して、本発明がユニットシステムであることから、ライフスタイルやワークステージ（個宅使用だけではなく業務用使用として）に対応させ、必要部材ユニットを使って，実施例図８、や図１３、等の展開を容易にさせることが可能となった。
【発明を実施する為の最良の形態】
【実施例１】
【００２１】実施例１は図１、図２、図３、に示すように，自立した単体の形態を有し、洗浄シンクユニット１、２、３、４、と側板ユニット５、７、９、収納ケース付き側板ユニット６、８、１０、１３、１４、背板１１、前板１２、及びシャワ−ヘッド・ドライヤー置き台１５、フレキシブルホルダーセット１６、１７、より成る。【００２２】ペットの洗浄では図２、に示すように本装置の洗浄シンクユニット１、２、３、４、を、側板ユニット５、７、９、及び収納ケース付き側板ユニット６、８、１０、１３、１４、と垂直な位置にセット、洗浄シンクユニット１、２、３、４、を水平に保ち、グルーミング台２、を上方に跳ね上げると洗浄シンク１、の状態となりこの面にペットを安定して乗せ洗浄することが出来る。【００２３】洗浄シンク１、には、集塵ケース付き排水金具ユニット３、が設けられ洗浄中の毛玉等は、集塵ケースに集められ外に排出しない構造になっている。【００２４】毛玉等ごみ類が取り除かれた排水は，集塵ケース付き排水金具ユニット３、に接続されたフレキシブル配水管１８、を通じて排水可能な床面に排水される。【００２５】洗浄シンク１、には引出し取っ手兼用の洗浄シンクガード４、が設けられ洗浄シンクユニット１、２、３、４、のセット及び収納の引出し取っ手としての機能と洗浄シンク１、の手前ガードとしての機能を兼用する。【００２６】洗浄シンク１、の上面に回動するよう取り付けられたグルーミング台２、は、洗浄シンク１、に連結されていて、ペット洗浄のときは洗浄シンク部と直交する状態で上に立ち上げ、後方への水の飛び跳ね防止壁として利用する。【００２７】また、図４、に示すようにグルーミング台２、の左右に透明な側板２６ａ、２６ｂ、を付加し、左右への水の飛び跳ね防止壁とすることが出来る。【００２８】ペットの乾燥，ブラッシング，トリミング及び交感は、図３、に示すように，グルーミング台上で行われ、グルーミング台は、水平に保持された洗浄シンク１、に重ね乗せるだけで簡単に装備できる。【００２９】収納ケース付き側板キャップ１０、にフラットに回動収納または固定設置されたシャワ−ヘッド・ドライヤー置き台１５、は、シャワーヘッドやドライヤーを一時的に置く装置であり、フレキシブルホルダーベース１６、に接続して使用するフレキシブルホルダー１７、は、シャワ−ヘッドやドライヤーを固定し両手を使って作業する為の装置である。【００３０】収納ケース付き側板６、には、洗浄，乾燥，トリミングという一連の作業に必要な器具や用品が収納できる収納ケース１３、１４、が設けられ、スムーズに作業できる配慮がされている。【００３１】収納ケース付き側板キャップ１０、には、ドライヤーの為の手許コンセント１０ａが設けられ既設コンセントに接続して使用する。【００３２】本考案は既設の給排水設備を使ったペット専用のグルーミング装置であるが、新築時にあらかじめ給排水設備を設け固定することも出来る。この場合でも図１、に示すように、本考案の特長である未使用時、コンパクトに収納出来、邪魔にならないということを最大限生かすことが出来る。
【実施例２】
【００３３】実施例２は、図５、図６、図７、に示すように，自立した単体の形態を有し、洗浄シンクユニット１、３、４、と左右の側板１９ａ，１９ｂ、天板２０、底板２１、背板１１ａ、１１ｂ及びフレキシブル排水管１８、より成る。【００３４】ペットの洗浄では図６、に示すように本装置の洗浄シンクユニット１、３、４、を、側板１９ａ，１９ｂ、と垂直な位置にセットし洗浄シンクユニット１、３、４、を水平に保ち、グルーミング台２ａ、２ｂ、を左右に立ち上げると洗浄シンク１、の状態となりこの面にペットを安定して乗せ洗浄することが出来る。【００３５】洗浄シンク１、には、集塵ケース付き排水金具ユニット３、が設けられ洗浄中の毛玉等は，集塵ケースに集められ外に排出しない構造になっている。【００３６】毛玉等ごみ類が取り除かれた排水は，集塵ケース付き排水金具ユニット３、に接続されたフレキシブル配水管１８、を通じて排水可能な床面に排水される。【００３７】図５、に示すように洗浄シンク１、の左右に取り付いたグルーミング台２ａ、２ｂ、を左右に立ち上げ洗浄シンク部と直交させると水の飛び跳ね防止壁として使用出来る。【００３８】図７、に示すようにペットの乾燥，ブラッシング，トリミング及び交感は，グルーミング台上で行われ、グルーミング台２ａ、２ｂ、は水平に保持された洗浄シンク１、に重ね乗せるだけで簡単に装備できる。
設けられた棚２３ａ、２３ｂ、には、洗浄、乾燥，トリミングという一連の作業に必要な器具や用品を置く事が出来、スムーズな作業への配慮がされている。
【実施例３】
【００３９】実施例３は、図８、図９、に示すようにモジュール化されたバスユニットパネル壁面に額縁状に取り付けられた収納ケース２７、に、洗浄シンクユニット１、２、３、が回動設置されたもので、新築時は予め本発明装置が取り付いたバスユニット壁パネルを施工設置し、既築に於いても、バスユニット壁パネル３０、のワンユニット（一面）を取り替えるだけで施工設置が可能である。【００４０】ペットの洗浄は図９、に示すように本装置の洗浄シンクユニット１、３、を収納ケース２７、に、垂直セットすると洗浄シンク１、の状態となりこの面にペットを安定して乗せ洗浄することが出来る。【００４１】排水は、排水カバー２８、内に内蔵されたフレキシブル配水管１８、を通じて、集塵ケース２９、に集められ外に毛玉等が排出しない構造になっている。【００４２】毛玉等ごみ類が取り除かれた排水は、集塵ケース２９、底部より直接床面に排水される。【００４３】ペットの乾燥，ブラッシング，トリミング及び交感は、図１１、に示すように、グルーミング台２、上で行われ、グルーミング台２、は、収納ケース２７、より前方に引き出し、水平に保持された洗浄シンク１、に重ね乗せるだけで簡単に装備できる。
【実施例４】
【００４４】実施例１、２、３、に於いては主に家庭使用の設置例であるが、家庭用同様、業務用としての使用も、本考案の主要構成部材である洗浄シンクユニット１、２、３、を用いて作業環境に適応した形態で設計、設置が出来る。実施例４は、図１２、１３、１４、に示すように洗浄シンクユニット１、２、３、と洗浄，乾燥，トリミングという一連の作業に必要な器具や用品を置いたり、消毒したり出来るケース２５、や作業に必要なシャワーやドライヤーが使いやすいようフックハンガー１７、等を取り付けることが出来るモジュール化された脚部２４ａ、２４ｂ、とで構成されている。【００４５】ペットの洗浄は図１３、に示すように本装置の洗浄シンクユニット１、２、３、を、脚部２４ａ、２４ｂ、と垂直な位置で回動固定し、洗浄シンクユニット１、２、３、を水平に保持し、グルーミング台２、を後面に跳ね上げ、グルーミング台２、の左右に取り付けられた透明側板２６ａ、２６ｂ、をセットし、水の飛散防止壁とすると洗浄出来る状態となりペットを上に乗せ安定して洗浄することが出来る。【００４６】洗浄シンク１、には、集塵ケース付き排水金具ユニット３、が設けられ洗浄中の毛玉等は、集塵ケースに集められ外に排出しない構造になっている。【００４７】毛玉等ごみ類が取り除かれた排水は、集塵ケース付き排水金具ユニット３、に接続されたフレキシブル配水管１８、を通じて床面に排水される。【００４８】ペットの乾燥、ブラッシング、トリミング及び交感は、図１４、に示すように、グルーミング台２、上で行われ、グルーミング台２、は、水平に保持された洗浄シンク１、に重ね乗せるだけで簡単に装備できる。
【図面の簡単な説明】
【００４９】
【図１】実施例１の未使用時収納された状態を示す斜視図である。
【図２】実施例１の洗浄シンクユニット使用時の状態を示す斜視図である。
【図３】実施例１のグルーミング台使用時の状態を示す斜視図である。
【図４】実施例１の洗浄飛びはね防止板の取り付け状態を示す斜視図である。
【図５】実施例２の未使用時収納された状態を示す斜視図である。
【図６】実施例２の洗浄シンクユニット使用時の状態を示す斜視図である。
【図７】実施例２のグルーミング台使用時の状態を示す斜視図である。
【図８】実施例３のユニットバスに設置された状態を示す俯瞰図である。
【図９】実施例３の未使用時収納された状態を示す斜視図である。
【図１０】実施例２の洗浄シンクユニット使用時の状態を示す斜視図である。
【図１１】実施例３のグルーミング台使用時の状態を示す斜視図である。
【図１２】実施例４の未使用時収納された状態を示す斜視図である。
【図１３】実施例４の洗浄シンクユニット使用時の状態を示す斜視図である。
【図１４】実施例４のグルーミング台使用時の状態を示す斜視図である。
【符号の説明】
【００５０】１、洗浄シンク
２、グルーミング板
３、排水金具ユニット
４、洗浄シンクガード
５、側板
６、収納ケース付き側板
７、側板ベース
８、収納ケース付き側板ベース
９、側板キャップ
１０、収納ケース付き側板
１０ａ、手許コンセット
１１、背板
１２、前板
１３、収納ケースＡ
１４、収納ケースＢ
１５、シャワーヘッド・ドライヤー置き台
１６、フレキシブルホルダーベース
１７、フレキシブルホルダー
１８、フレキシブル排水管
２０、天板
２１、底板
２２、脚ベース
２３ａ、棚板
２３ｂ、棚板
２ａ、グルーミング台Ｌ
２ｂ、グルーミング台Ｒ
２４ａ、脚部
２４ｂ、脚部
２５、ケース
２６ａ，透明側板
２６ｂ，透明側板
２７、収納ケース
２８、排水カバー
２９、集塵ケース
３０、バスユニット壁パネル
【図１】
2006101852.tif 000003
【図２】
2006101852.tif 000004
【図３】
2006101852.tif 000005
【図４】
2006101852.tif 000006
【図５】
2006101852.tif 000007
【図６】
2006101852.tif 000008
【図７】
2006101852.tif 000009
【図８】
2006101852.tif 000010
【図９】
2006101852.tif 000011
【図１０】
2006101852.tif 000012
【図１１】
2006101852.tif 000013
【図１２】
2006101852.tif 000014
【図１３】
2006101852.tif 000015
【図１４】
2006101852.tif 000016